(57)【要約】【課題】  自動精米装置の使用の記録を残すことができる自動精米装置を得る。【解決手段】  白度選択ボタンが操作されると（１０２）、精米開始時刻として現在の時刻を記憶し（１０４）、精米処理を開始する（１０６）。コイン識別部で識別された金額分の作動時間が経過すると（１０８）、精米処理を終了し（１１０）、精米終了時刻として現在の時刻を記憶する（１２０）。所定期間内に領収書ボタンが操作されると（１２２）、「領収書」というタイトル、設置者名、使用明細の情報（精米した日付、精米の種類、及び精米に関する時間）、投入された金額、並びに精米機の設置場所などが表示された領収書を印刷機に印刷させる（１２６）。【選択図】  図４
2005342663.tif 000002
【特許請求の範囲】
【請求項１】
装置内に投入された金額に応じた時間作動することにより、装置内に投入された米粒を精米処理する自動精米装置において、
前記精米処理が終了したときに、該精米処理に関する領収書を発行する発行手段を設けた自動精米装置。
【請求項２】
装置内に投入された金額に応じた時間作動することにより、装置内に投入された米粒を精米処理する自動精米装置において、
前記精米処理が終了したときに、該精米処理に関する使用明細が印刷された使用明細書を発行する発行手段を設けた自動精米装置。
【請求項３】
前記領収書に、精米処理に関する使用明細を印刷した請求項１に記載の自動精米装置。
【請求項４】
前記使用明細は、前記自動精米装置の設置場所、前記精米処理した日付、前記精米処理の開始時刻及び終了時刻、及び前記自動精米装置の作動時間の少なくとも一つの情報を含む請求項２又は３に記載の自動精米装置。
【発明の詳細な説明】
【技術分野】
【０００１】
本発明は、自動精米装置に係り、特に、投入された金額に応じて作動して玄米等の米粒を白米に精米処理する自動精米装置に関する。
【背景技術】
【０００２】
従来より、投入されたコインやプリペイドカードに応じて作動し、供給ホッパ内に投入された米粒（籾又は玄米）を白米に精米処理する自動精米装置（特許文献１）が知られている。
【特許文献１】特開平１０−３０９４８０号公報
【発明の開示】
【発明が解決しようとする課題】
【０００３】
今日では消費者の間で食の安全性は大きな関心事であり、関心は食品の生産者のみならず、加工ルートにも及んでいる。
【０００４】
しかしながら、特許文献１に記載の自動精米装置で精米処理しても、その自動精米装置を使用した記録が残らないため、精米処理の内容を後で確認できない、という問題があった。
【０００５】
本発明は、上記問題点を解決するためになされたもので、自動精米装置の使用の記録を残すことができる自動精米装置を提供することにある。
【課題を解決するための手段】
【０００６】
上記の目的を達成するために第１の発明に係る自動精米装置は、装置内に投入された金額に応じた時間作動することにより、装置内に投入された米粒（籾又は玄米）を精米処理する自動精米装置において、前記精米処理が終了したときに、該精米処理に関する領収書を発行する発行手段を設けたものである。
【０００７】
第１の発明によれば、精米処理が終了したときに、発行手段により、精米処理に関する領収書が発行されるので、自動精米装置の使用金額等の記録を残すことができる。
【０００８】
また、第２の発明に係る自動精米装置は、装置内に投入された金額に応じた時間作動することにより、装置内に投入された米粒（籾又は玄米）を精米処理する自動精米装置において、前記精米処理が終了したときに、該精米処理に関する使用明細が印刷された使用明細書を発行する発行手段を設けたものである。
【０００９】
使用明細は、自動精米装置の設置場所、精米処理した日付、精米処理の開始時間及び終了時間、及び自動精米装置の作動時間の少なくとも一つの情報を含んでいる。
【００１０】
第２の発明によれば、精米処理が終了したときに、発行手段により、精米処理に関する使用明細が印刷された使用明細書が発行されるので、自動精米装置の使用明細を残すことができる。
【発明の効果】
【００１１】
以上説明したように、本発明の自動精米装置によれば、領収書又は使用明細書を発行することにより、自動精米装置の使用の記録を残すことができ、後で精米処理の内容を確認することができる、という効果が得られる。
【発明を実施するための最良の形態】
【００１２】
以下に、本発明の実施の形態について図面を参照して説明する。本実施の形態は、玄米を精米する自動精米装置に本発明を適用したものである。
【００１３】
図１に示すように、自動精米装置１０は、操作室１２Ｂと機械室１２Ａからなる屋外用建物１２を備えている。操作室１２Ｂの前面壁には、玄米Ｇが投入される張込みホッパ１４が操作室１２Ｂ側に露出する状態で設けられている。張込みホッパ１４は駆動モータ４０によって回転駆動される米粒搬送用のスクリューコンベヤ１５を内蔵しており、張込みホッパ１４に投入された玄米Ｇを機械室１２Ａ内に設置された昇降機１６の下部へ搬送する。昇降機１６は、スクリューコンベヤ１５によって供給された玄米Ｇを機械室１２Ａの上部へ持ち上げ搬送する。
【００１４】
昇降機１６の側方には昇降機１６の放出口１６Ａに対応して石抜き機２０が配置されている。
【００１５】
また、機械室１２Ａ内には、精白ロールを備えた縦型円筒摩擦式の玄米Ｇを精米処理する精米機２２が配置されており、精米機２２の上部には石抜き機２０を経由した後の玄米Ｇが供給される精米機ホッパ３８が設けられている。また、精米機ホッパ３８の底部には精米機２２の処理能力に応じた一定量の玄米Ｇが精米機２２へ供給されるように流量を調節する流量調節弁４４が設けられている。
【００１６】
また、精米機ホッパ３８には、満杯センサ４２、及び残存センサ４６が設けられている。満杯センサ４２は、精米機ホッパ３８に供給されて貯蔵された玄米Ｇが満杯となる位置にに対応して設けられ、満杯時に満杯信号を出力する。残存センサ４６は、精米機ホッパ３８の底面より僅かに上方位置に対応する位置に設けられ、供給された玄米Ｇが精米機ホッパ３８に残存しているときに残存信号を出力する。
【００１７】
なお、この精米機２２は、他の型式、例えば、横型円筒式や、循環機構を備えた循環式、あるいは金剛砥石ロールを備えた研削式であってもよい。
【００１８】
精米機２２の側方には、精米処理の際に発生する米糠を回収し糠袋２５に排出する糠回収機２４が配置されている。
【００１９】
さらに、精米機２２の放出口２２Ａに対応した操作室１２Ｂの前面壁には、袋２７に白米を排出する集積タンク２６が、操作室１２Ｂ側に露出した状態で配置されている。
【００２０】
一方、操作室１２Ｂの前面壁の張込みホッパ１４の上方には操作盤２８が配置されている。図２に示すように、操作盤２８には、操作盤２８の前面に開口する投入口６４を備え、投入された所定のコイン（例えば、１００円硬貨）を識別するコイン識別部３０と料金追加ランプ６６とが設けられている。
【００２１】
また、操作盤２８には白度を選択する上白選択ボタン３６Ａ、標準選択ボタン３６Ｂ、七ぶ選択ボタン３６Ｃ（以下、総称する場合には白度選択ボタンという）、及び領収書を発行する際に操作される領収書ボタン３４が設けられている。
【００２２】
操作盤２８の下側には領収書を印刷し操作室１２Ｂ側に排出する印刷機４８が設けられている。印刷機４８は、例えば、感熱式プリンタで構成されている。
【００２３】
また、自動精米装置１０には制御装置５０が設けられており、制御装置５０は、図３に示すように、ＣＰＵ５２、ＲＯＭ５４、ＲＡＭ５６、入力ポート５８、出力ポート６０を含んで構成されている。入力ポート５８には、操作盤２８、満杯センサ４２、及び残存センサ４６が接続されている。一方、出力ポート６０には、スクリューコンベヤ１５の駆動モータ４０、昇降機１６、石抜き機２０、精米機２２の各駆動モータ、精米機２２の白度設定モータ６８、料金追加ランプ６６、及び印刷機４８が接続されている。また、ＲＯＭ５４には、自動精米装置１０の予め定められた金額に対応する基準作動時間及び所定の運転プログラムが記憶されており、この運転プログラムに従ってＣＰＵ５２が前記各部を制御する。
【００２４】
次に、本発明の実施の形態の作用を説明する。
【００２５】
供給ホッパ１４へ玄米Ｇが投入されると、制御装置５０により図４に示す運転プログラムのルーチンが実行され、ステップ１００では、コインがコイン識別部３０の投入口６４へ投入されたか否かを判定する。ステップ１００の判定が肯定されると、ステップ１０２において、白度選択ボタン３６Ａ、３６Ｂ、３６Ｃの何れかが操作されたか否かを判定する。ステップ１０２の判定が肯定されると、ステップ１０４において、精米開始時刻として現在の時刻をＲＡＭ５６に記憶する。
【００２６】
次のステップ１０６では、精米処理を開始する。精米処理では、スクリューコンベヤ１５の駆動モータ４０、昇降機１６、石抜き機２０、精米機２２の各駆動モータ、及び精米機２２の白度設定モータ６８を作動させ、張込みホッパ１４へ投入された玄米Ｇを石抜き機２０へ供給する。石抜き機２０によって石抜きされた米粒（玄米Ｇ）は、精米機２２の精米機ホッパ３８へ供給され、所定量の玄米Ｇが流量調節弁４４を介して精米機２２へ供給されると共に、次第に精米機ホッパ３８内に玄米Ｇが貯蔵される。精米機２２により、供給された玄米Ｇの精米処理が行なわれた後に、精米機２２は精米処理後の白米Ｈを集積タンク２６を介して、袋２７に排出する。
【００２７】
ここで、満杯センサ４２が満杯信号を出力すると、駆動モータ４０の駆動を停止させ、スクリューコンベヤ１５による玄米の搬送を中断する。満杯センサ４２による満杯信号出力の後所定時間経過すると、駆動モータ４０を駆動する。これにより、精米機ホッパ３８に貯蔵される玄米Ｇの量を精米機２２の処理能力に見合った適切量にすることができる。
【００２８】
次のステップ１０８では、コイン識別部３０で識別された金額とＲＯＭ５４に記憶されている基準作動時間とに基づいて、識別された金額分の作動時間が経過したか否かを判定する。判定が肯定されるまで上記の精米処理を実行し、判定が肯定されるとステップ１１０へ移行する。
【００２９】
ステップ１１０では、スクリューコンベヤ１５の駆動モータ４０、昇降機１６、石抜き機２０、精米機２２の各駆動モータ、及び精米機２２の白度設定モータ６８を停止させ、精米処理を終了する。
【００３０】
次のステップ１１２では、残存センサ４６が玄米Ｇを検知し、残存信号を出力しているか否かを判定する。判定が否定されると、ステップ１２０へ移行するが、判定が肯定されると、ステップ１１４へ移行し、料金追加ランプ６６を点灯させる。そして、ステップ１１６で、コインが投入口６４へ投入されたか否かを判定し、ステップ１１６で判定が肯定されると、ステップ１１８で、料金追加ランプ６６を消灯し、ステップ１０６へ戻る。
【００３１】
ステップ１２０では、精米終了時刻として現在の時刻をＲＡＭ５６に記憶し、ステップ１２２では、領収書ボタン３４が操作済みか否か、又は領収書ボタン３４が精米終了後所定時間内に操作されたか否かを判定する。判定が肯定されるとステップ１２６へ移行するが、判定が否定されると、運転プログラムを終了する。なお、ステップ１２２において、領収書が必要な場合には所定時間内に領収書ボタン３４を押すように音声誘導してもよく、または、領収書ボタン３４を点滅させたり、音声誘導と領収書ボタン３４の点滅とを組み合わせたりしてもよい。
【００３２】
ステップ１２６では、印刷機４８に領収書７０を印刷させる。例えば、図５に示すような「領収書」というタイトル、設置者名、使用明細の情報（精米した日付、精米の種類、及び精米に関する時間）、投入された金額、精米機の設置場所、コマーシャル、並びに取扱番号が表示された領収書７０を印刷させ、運転プログラムを終了する。
【００３３】
以上説明したように、本発明の実施の形態に係る自動精米装置では、領収書を発行することにより、自動精米装置の使用金額等の記録を残すことができ、後で使用明細を確認することができる。また、業務等で精米した場合には、発行された領収書を税務対応資料として使用することができる。また、ユーザに自動精米装置の使用明細を示すことにより、正しく精米処理したという安心感を与えることができる。
【００３４】
なお、上記の実施の形態では、印刷機４８によって、領収書を印刷する例を説明したが、領収書に代えて、図６に示す使用明細書７２を印刷してもよい。使用明細書７２には、例えば、「使用明細書」というタイトル、設置者名、精米した日付、精米の種類、精米に関する時間、精米機の設置場所、及び取扱番号が印刷されている。この場合には、領収書ボタン３４に代えて、使用明細書ボタンを設け、使用明細書ボタンが押圧操作された場合にのみ、使用明細書７２を発行する。
【００３５】
また、上記の実施の形態では、自動精米装置１０にコイン（１００円玉）が投入される例について説明したが、他のコイン（５００円玉など）や紙幣、又はカードを単独で、又は組み合わせて使用できるようにしてもよい。他のコインや紙幣が投入された場合には、おつり返却機能を搭載するのが好ましい。この場合、ＲＡＭ５６に記憶された精米開始時刻と精米終了時刻から精米時間分の金額を算出し、おつりを返却し、投入金額とおつりを領収書に印刷するようにしてもよい。
【００３６】
また、玄米のみを精米する例について説明したが、本発明はこれに限定されるものではなく、玄米及び籾を精米処理するようにしてもよい。その場合には、機械室内１２Ａに籾摺り機を設け、また、操作盤２８に玄米選択ボタンと籾選択ボタンとを設け、籾選択ボタンが押圧された場合には、領収書又は使用明細書に精米の種類として「籾」と印刷する。
【００３７】
また、自動精米装置として屋外用建物１２を備えている場合を例に挙げたが、屋内用の自動精米装置でもよい。
【図面の簡単な説明】
【００３８】
【図１】本発明の実施の形態に係る自動精米装置の概略全体構成図である。
【図２】本発明の実施の形態に係る自動精米装置の操作盤の正面図である。
【図３】本発明の実施の形態に係る自動精米装置の制御装置の構成図である。
【図４】本発明の実施の形態に係る自動精米装置の制御装置が実行する運転プログラムのフローチャートである。
【図５】本発明の実施の形態に係る自動精米装置が発行する領収書のイメージ図である。
【図６】本発明の実施の形態に係る自動精米装置が発行する使用明細書のイメージ図である。
【符号の説明】
【００３９】
１０  自動精米装置
４８  印刷機
５０  制御装置
５２  ＣＰＵ
５４  ＲＯＭ
５６  ＲＡＭ
７０  領収書
７２  使用明細書
【図１】
2005342663.tif 000003
【図２】
2005342663.tif 000004
【図３】
2005342663.tif 000005
【図４】
2005342663.tif 000006
【図５】
2005342663.tif 000007
【図６】
2005342663.tif 000008